(57)【要約】      （修正有）【課題】天井あるいは壁へフック等を固着することを必要とせず、設置、収納が簡単に行え、天井を損傷する心配のない室内ゴルフ練習具を提供する。【解決手段】支柱組立て体は、ベース板２３とその上に立設された支柱２５を備える。支柱は上下２７，２６の入子式になっている。ビーム組立て体はメインビーム６２、第1、第2前側ビーム６５，８７、第1、第2側方ビーム91,100、補助ビーム８９を備えている。前側防護幕５は第１、第2前側ビームにより吊下げられる。側方防護幕３は第1、第2側方ビームにより吊下げられる。天井防護幕７は上部を覆う。各ビームはメインビームに対して折畳み可能或いはメインビーム内に収納可能となっている。メインビームは支柱に対して回動可能で、支柱上端から吊下げて格納可能である。【選択図】図１
0003128287.tif 000002
【実用新案登録請求の範囲】
【請求項１】
フレームと、該フレームに取付けられる防護幕とを備え、前記防護幕が、プレーヤが対面する側に垂下して設けられる前側防護幕と、ボールが飛ぶ側でプレーヤの側方に垂下して設けられる側方防護幕と、前記前側防護幕と側方防護幕とにより仕切られ、プレーヤが位置する側において、所望の範囲で上部を覆う天井防護幕とを備えてなることを特徴とする、室内ゴルフ練習具。
【請求項２】
請求項1に記載の室内ゴルフ練習具において、前記フレームは、支柱と、該支柱により支持されるビームとを備え、前記ビームは、前記前側防護幕を垂下支持する前側ビームと、前記側方防護幕を垂下支持する側方ビームとを含んでいることを特徴とする、室内ゴルフ練習具。
【請求項３】
請求項２に記載の室内ゴルフ練習具において、前記ビームはさらに、支柱の上端に取付けられ、前記支柱に対して略直交する方向へ伸びるメインビームを備え、前記前側ビームと前記側方ビームとは前記メインビームによって支持されていることを特徴とする、室内ゴルフ練習具。
【請求項４】
請求項3に記載の室内ゴルフ練習具において、前記前側ビームと前記側方ビームとの少なくとも一部は、前記メインビームに対して折り畳むことにより前記メインビームに沿った状態で格納保持可能であることを特徴とする。室内ゴルフ練習具。
【請求項５】
請求項4記載の室内ゴルフ練習具において、残余のビームは前記メインビーム内に収納可能であることを特徴とする、室内ゴルフ練習具。
【請求項６】
請求項４または５に記載の室内ゴルフ練習具において、前記前側ビームと前記側方ビームとのいずれか一方が前記支柱に近い位置で前記メインビームにそれと直交する方向に伸びて取付けられ、他方のビームは前記一方のビームの一端にそれと直交する方向に伸びて取り付けられていることを特徴とする、室内ゴルフ練習具。
【請求項７】
請求項６記載の室内ゴルフ練習具において、前記前側ビームが前記メインビームにそれと直交する方向に伸びて取付けられていることを特徴とする、室内ゴルフ練習具。
【請求項８】
請求項７記載の室内ゴルフ練習具において、前記前側ビームは、前記メインビームの両側にそれぞれの一端において取付けられる第1と第2の前側ビームからなり、前記側方ビームは前記第2の前側ビームの他端部に取付けられることを特徴とする、室内ゴルフ練習具。
【請求項９】
請求項8記載の室内ゴルフ練習具において、前記メインビームの先端側には前記第2の前側ビームと同じ方向に伸びる補助ビームが取付けられ、前記側方ビームは前記第2の前側ビームと前記補助ビームの先端に取付けられて保持されることを特徴とする、室内ゴルフ練習具。
【請求項１０】
請求項９記載の室内ゴルフ練習具において、前記第1と第2の前側ビームと前記補助ビームはそれぞれ前記メインビームへ対して回動可能に取付けられ、それぞれ前記メインビームに沿った状態で格納保持することが可能になっていることを特徴とする、室内ゴルフ練習具。
【請求項１１】
請求項１０記載の室内ゴルフ練習具において、前記メインビームは弾性変形可能なキャッチャーを備え、前記第1と第2の前側ビームと前記補助ビームはワンタッチで前記キャッチャーにより固定し、且つワンタッチで前記キャッチャーから解放可能になっていることを特徴とする、室内ゴルフ練習部。
【請求項１２】
請求項8乃至１１のいずれか１に記載の室内ゴルフ練習具において、前記側方ビームは前記第2側方ビームと前記補助ビームから取り外し可能となっており、前記メインビームは、側方ビームを格納する空所を備えていることを特徴とする、室内ゴルフ練習具。
【請求項１３】
請求項８乃至１２のいずれか１に記載の室内ゴルフ練習具において、前記側方ビームは、前記第2前側ビームの先端と前記補助ビームの先端との間で伸びる第1の側方ビームと、該第1の側方ビームの前記補助ビームとの連結部側において前記第1の側方ビームに回動可能に取付けられた第2の側方ビームとからなり、該第2の側方ビームは、前記第1の側方ビームに沿った状態で前記第1の側方ビームに取付けて格納保持することが可能になっていることを特徴とする、室内ゴルフ練習具。
【請求項１４】
請求項３乃至１３のいずれか１に記載の室内ゴルフ練習用具において、前記メインビームは、前記支柱に対して回動可能に取り付けられ、前記支柱に沿って前記支柱の上端から吊下げ状態に格納することが可能なことを特徴とする、室内ゴルフ練習具。
【請求項１５】
請求項２乃至１４のいずれか1に記載の室内ゴルフ練習具において、前記室内ゴルフ練習具は前記支柱を支持するベースを供え、前記支柱は前記ベースに取外し可能に取付けられていることを特徴とする、室内ゴルフ練習具。
【請求項１６】
請求項1乃至１５のいずれか１に記載の室内ゴルフ練習具において、前記前側防護幕の幅が約１ｍ６０ｃｍ1乃至ｍ８０ｃｍ、前記側方防護幕の幅が約１ｍ乃至１ｍ５０ｃｍ、床から前記天井防護幕までの高さが約２ｍ乃至２ｍ３０ｃｍであることを特徴とする、室内ゴルフ練習具。
【請求項１７】
請求項1記載の室内ゴルフ練習具において、前記フレームは、互いに折畳み可能、或いは一方を他方の内部へ格納可能に構成された複数の部材からなることを特徴とする、室内ゴルフ練習具。
【請求項１８】
請求項1７記載の室内ゴルフ練習具において、前記フレームは、支柱と、該支柱により支持され、各防護幕が取り付けられる複数のビームからなり、前記複数のビームは、そのうちの主たるビームに対して他のビームが折畳み可能或いはその主たるビーム内へ収納可能となっていることを特徴とする、室内ゴルフ練習具。
【請求項１９】
請求項１８記載の室内ゴルフ練習具において、前記主たるビームは弾性変形可能なキャッチャーを備え、前記折畳み可能なビームはワンタッチで前記キャッチャーにより固定し、且つワンタッチで前記キャッチャーから解放可能になっていることを特徴とする、室内ゴルフ練習部。
【請求項２０】
請求項１８または１９記載の室内ゴルフ練習具において、前記主たるビームが前記支柱に対して回動可能に取付けられ、前記支柱の上端から前記支柱に平行に垂下した状態で格納可能になっていることを特徴津する、室内ゴルフ練習具。
【請求項２１】
請求項１８乃至２０のいずれか1に記載の室内ゴルフ練習具において、前記支柱は、上下互いに入子式に構成された複数の支柱部材からなり、格納時に最小の長さとすることが可能となっていることを特徴とする、室内ゴルフ練習具。
【請求項２２】
請求項１８乃至２１のいずれか１に記載の室内ゴルフ練習具において、前記支柱を支持するベース部をさらに供え、そのベース部は支柱とは取り外し可能になっていることを特徴とする、室内ゴルフ練習具。
【請求項２３】
請求項２２記載の室内ゴルフ練習具において、前記ベース部は、ベース板と、前記ベース板に取り付けられ、前記ベース板の外側へ延びる脚を備え、前記脚は、ベース板の上は重ねた状態で格納可能になっていることを特徴とする、室内ゴルフ練習具。
【請求項２４】
請求項1７乃至２１のいずれか１に記載の室内ゴルフ練習具において、前記前側防護幕の幅が約１ｍ６０ｃｍ1乃至ｍ８０ｃｍ、前記側方防護幕の幅が約１ｍ乃至１ｍ５０ｃｍ、床から前記天井防護幕までの高さが約２ｍ乃至２ｍ３０ｃｍであることを特徴とする、室内ゴルフ練習具。
【請求項２５】
請求項1乃至２４のいずれか１に記載の室内ゴルフ練習具において、少なくとも前記前側防護幕と側方防護幕と天井防護幕とは不透明であることを特徴とする、室内ゴルフ練習具。
【請求項２６】
請求項1乃至２５のいずれか1に記載の室内ゴルフ練習具において、前記前側防護幕と側方防護幕と天井防護幕とは毛布状の幕であることを特徴とする、室内ゴルフ練習具。
【請求項２７】
請求項１乃至２６のいずれか１に記載の室内ゴルフ練習具において、前記前側防護幕と側方防護幕と天井防護幕の外側面上には、前記フレームの各部材と対向する位置において前記フレームの各部材との間に衝撃緩衝部材が配置されていることを特徴とする、室内ゴルフイ練習具。
【考案の詳細な説明】
【技術分野】
【０００１】
本考案はゴルフの練習具に関し、さらに詳細に言えば、自宅の室内でフルスィングの可能なゴルフ練習具に関する。
【背景技術】
【０００２】
従来ゴルフの練習は相当の広さを備えたゴルフ練習場で行ったりしているが、自宅の庭あるいは室内で簡便に練習できる練習具も提供されている。特開2002−65925号はそのような室内練習設備の一例を開示している。
【０００３】
この練習設備では、部屋の天井の所定の位置にフックを取付け、そのフックから吊り下げた紐に両端を取付けた棒に正面幕と側面幕を係止するようになっている。また、トップボールを受止めるための部材を固定するために押しピンを壁に取付けるようになっている。したがって、この部屋を他の用途に使用する場合には、練習後に練習装置を片付けなければならず、その際には正面幕、側面幕、棒、紐などを個別に取外して収納しなければならず、次回使用する場合には再びすべての部材をセッティングしなければならない。またフックは天井に、押しピンは壁に取付けたままとなるので、来客などの目に付いて見栄えが非常に悪い。また、天井側には幕が無いので、当たり損ねたボールによって天井が損傷される可能性がある。ましてや天井から照明器具などが吊り下げられている場合には、危険極まりないこととなる。
【考案の開示】
【考案が解決しようとする課題】
【０００４】
本考案は上記従来の問題点に鑑みなされたものであり、天井あるいは壁へフック等を固着することを必要とせず、設置、収納が簡単に行え、天井を損傷する心配の無い室内ゴルフ練習具を提供することをその課題とする。また、少なくともウェッジ等ショートアイアンでならフルスィングをすることが可能な室内ゴルフ練習具を提供することも本考案の課題である。さらには、組立て時或いは収納時に作業が簡単に行え、その際の部材等の損傷を防止できる室内ゴルフ練習具を提供する。
【課題を解決するための手段】
【０００５】
上記課題を解決するために本考案は、フレームと、該フレームに取付けられる防護幕とを備え、その防護幕が、プレーヤが対面する側に垂下して設けられる前側防護幕と、ボールが飛ぶ側でプレーヤの側方に垂下して設けられる側方防護幕と、前記前側防護幕と前記側方防護幕とにより仕切られ、プレーヤが位置する側において、所望の範囲で上部を覆う天井防護幕とを備えて構成された室内ゴルフ練習具を提供する。  
ある実施の形態では、フレームは、互いに折畳み可能、或いは一方を他方の内部へ格納可能に構成された複数の部材からなっている。
ある実施の形態では、フレームは、支柱と、該支柱により支持され、各防護幕が取り付けられる複数のビームからなり、この複数のビームは、そのうちの主たるビームに対して他のビームが折畳み可能或いはその主たるビーム内へ収納可能となっている。折畳み可能なビームは主たるビームに対してワンタッチで固定及び解放が可能である。    
ある実施の形態では、その主たるビームが支柱に対して回動可能に取付けられ、支柱の上端から支柱に平行に垂下した状態で格納可能になっている。その際、主たるビーム以外のビームは主たるビームに固定或いは収納されているので、それら部材を損傷することがない。
ある実施の形態では、支柱は、上下互いに入子式で構成された複数の支柱部材からなり、格納時に最小の長さとすることが可能となっている。
ある実施の形態では、支柱を支持するベース部を供えており、そのベース部は支柱とは取り外し可能になっている。
ある実施の形態では、ベース部は、ベース板と、ベース板の外側へ延びる脚を備え、その足は、ベース板の上に重ねた状態で格納可能になっている。
ある実施の形態では、前側防護幕の幅が約１ｍ６０ｃｍ乃至１ｍ８０ｃｍ、側方防護幕の幅が約１ｍ乃至１ｍ５０ｃｍ、床から天井防護幕までの高さが約２ｍ１５ｃｍ乃至２ｍ３０ｃｍとなっている。
ある実施の態様では、前側防護幕と側方防護幕と天井防護幕の外側面上には、フレームの各部材と対向する位置においてフレームの各部材との間に衝撃緩衝部材が配置されている。
【考案の効果】
【０００６】
本考案に係る室内ゴルフ練習具によれば、天井あるいは壁などへフック等を固着することを必要としない。また、各部材が互いに折畳み式、入子式、或いは取外し簡単で他の部材内へ収納可能な部材で構成しているので、練習具の設置、収納が簡単に行える。また、天井防護幕を備えているので天井を損傷する心配が無い。また、防護幕は十分な幅と高さを備えているので、少なくともウェッジ等のショートアイアンであればフルスィングが可能であり、防護幕を不透明とすることにより室内に置かれた他の物が視野に入らないので気にならず安心してスィングをすることができ、練習の満足感を得られる。さらにボールがフレームの支柱或いはビームなどが存在する位置で防護幕に当たっても、その位置では防護幕の外側で防護幕と支柱或いはビームとの間に衝撃緩衝部材が配置されているので、ボールが強く跳ね返されることはなく、安全にプレーできる。
【考案を実施するための最良の形態】
【０００７】
以下、図面を参照して本考案の実施の形態について説明する。図１は本考案の実施の形態に係る室内ゴルフ練習具（以下単に「練習具」という。）１の基本概念図である。練習具1は、後に詳述するフレーム２１と、該フレーム２１に取付けられた側方防護幕３と、前側防護幕５と、天井防護幕7とから構成されている。この練習具１は右利きプレーヤのための構成をしており、プレーヤは前側防護幕５に向いて立ち、側方防護幕３へ向かってボールを打つこととなる。なお、後述するビームの取付け位置を入れ替えることにより左利きのプレーヤ用に変えることができる。
【０００８】
図2乃至４は、フレーム２１のそれぞれ正面図、右側面図及び平面図である。フレーム２１は、大別して、支柱組立て体２２と、該支柱組立て体２２によりその上部に取付けられ、支持されるビーム組立て体６１とで構成される。先ず支柱組立て体２２について説明する。
【０００９】
支柱組立て体２２は、略長方形の形をした平板状のベース板２３を備え、図2においてその右側端部上に中空で略立方体の形をしたベースブロック24がボルト止めあるいは溶接など適宜手段で固定されている。このベースブロック24上に支柱２５が立設されている。以下、支柱組立て体２２の下側部分の縦断面図である図５（イ）及び（ロ）をも参照しながら説明する。
【００１０】
支柱２５は下側支柱２６と上側支柱27とで構成され、両者ともに横断面略四角形の形をした中空部材であり、上側支柱27が下側支柱26内へ摺動自在に出入りできる入子式に組合されている。下側支柱26の下端部には支持板２８が固着され、下側支柱２６の下端を閉じるとともに、その外側へ拡がって広い支持面を形成している。そして、この支持板28をベースブロック24上に載せ、下側支柱26内へ上方からボルト２９を挿入してベースブロック24の上壁２４a内面側に固着したナット30へ締結することにより、下側支柱26はベースブロック24に取外し可能に取付けられている。
【００１１】
下側支柱26へはその上端側から上側支柱２７が上下動自在に挿入されている。上側支柱２７も横断面略四角形の形をしているので、下側支柱26内で回転することはできない。そして下側支柱２６の上端部内側及び上側支柱２７の下端部外側にはそれぞれ摺動案内板31,32が取付けられ、上側支柱27のスムーズな上下動を案内するとともに、両者が当接することにより上側支柱27の抜止めをしている。
【００１２】
下側支柱26の上端部には外側へ広がるフランジ26aが形成されており、このフランジ26a上には上側支柱27を上下動させるのに使用する一対のローラが取付けられている。すなわち、フランジ26a 上に一対のローラ支持板35，36が互いに対向して立設され、これに案内ローラ３７と押えローラ３８とがそれぞれ軸39,40により回転可能に取付けられている。そして一端側において上側支柱２７の下端部に結合されたベルト41が下側支柱２６の上端から外へと伸びて案内ローラ37に捲き回され、下に向かって伸びている。ベルト41の他端側には把手42が取付けられており、この把手42をつかんでベルトを下へ引っ張れば上側支柱27を上へ伸ばすことができ、この把手42を下側支柱26の下部外側に取付けられたフック43に引っ掛けることにより、上側支柱27を上側に伸ばした所定の位置で保持することができる。この把手42をフック43から外せば上側支柱27の自重を利用して上側支柱27を下側支柱２６に収納することができる。上側支柱27の上端には後述するビーム組立て体55のメインビーム62を取付けるためのビーム取付けケース44が溶接など適宜手段で取付けられている。これについては再度後述する。
【００１３】
支柱組立て体22にはベース板23とともに練習具１を安定状態に維持するために脚45が取付けられている。すなわち、図3、４で見た場合においてベースブロック24を左右に貫いて取付けられた軸48の両端にアーム46,47が軸48と一体回転するようにそれぞれその一端部において取付けられている。そして、アーム46,47の他端部は脚45の中央真直部４５aに固着され、真直部45aの両端から脚部45b,45cが互いに遠ざかるように末広がりに伸びており（図4）、それぞれその先端にはゴム脚49,50が取付けられている。脚４５は、真直部45a中央部に取付けたノブ５１の先端に形成したネジをベースブロック24の側壁24bの内側面に固着したナット52に締結することにより、図2乃至４に示した位置に固定される。そして、練習具１を収納したりあるいは運搬する場合など必要な場合には、ノブ51を外して脚45を図2で矢印A方向へ回動してベース板23上に載置することができる。
【００１４】
次にビーム組立て体61について説明する。ビーム組立て体61は、前述の支柱組立て体22に取付けられるメインビーム62と、そのメインビーム62に取付けられる複数のハンガービーム、及びビーム間を繋ぐ接続ビームとで構成されている。図６はメインビーム62の支柱25への取付け構造を示す図で、（イ）は平面図、（ロ）は正面図である。メインビーム６２は横断面が横長の長方形の形をした中空の部材であり、その一端側において前述のビーム取付けケース44に取付けられ、他端側は支柱組立て体22のベース板23と同じ方向へ所定の長さで伸びている。すなわち、ビーム取付けケース44は、底部4４cとその両側縁部から上方へ延びる側部44a、44bを備えている。そして図6において右側端部近くにおいて軸６３が両側部44a、44bにより支持されて取付けられ、この軸63にメインビーム62の一端部が回動可能に取付けられている。そして、ビーム取付けケース44にはその底部44cと両側部44a、44bとを部分的に切欠いた切欠部４４dが形成されている。したがって、メインビーム62は練習具１の使用時には支柱25に直交する方向へ伸びているが、格納時には軸63回りに回動させて図6（ロ）に二点差線で示すように支柱25によってそれと平行に吊り下げられるようにすることができる。
【００１５】
再び図３乃至５を参照する。符号６５は第1前側ハンガービームであり、横断面縦長な長方形の形をしているが、図4においてみた場合に上側の側面は長手方向に沿って開口している。そしてその一端側において、公知の蝶番７０を用いてメインビーム６２の側面に、支柱25よりわずかに内側において回動可能に取付けられており（図4）、接続ビーム71を用いて図1乃至４の状態に保持される。
【００１６】
図７は接続ビーム71によるメインビーム６２と第1前側ハンガービーム６５との接続構造を示す図で、（イ）は図4の紙面に平行な面での断面図で図4の状態から半時計方向で略135度回した状態での図、（ロ）は（イ）に対して下方から見た正面図である。接続ビーム７１の本体７２は横断面略「コ」の字状をした細長い部材であり、その一端は第1前側ハンガービーム６５の開口６６内に入って、軸67により回動可能にハンガービーム65に取付けられている。そして本体72の長手方向反対側の底部壁73にハンガービーム65の長手方向に伸びる長孔74が形成されている。
【００１７】
本体７２の内側にはその底部壁73に沿ってスライドプレート７５が摺動可能に配置されており、そのプレート７５には図７（イ）での左端部側に略ひょうたん型の孔７６が形成されている。この孔７６の右側部分７６a は径が大きく、左側部分７６bはそれより径が小さくなっている。符号７７は取付けブラケットで、鈍角に開いた2つの辺で形成され、一方の固定辺76aにおいてメインビーム62の側壁外面に溶接等適宜手段で固着されている。そして他辺側の接続辺76bにおいてスライドプレート７５に接続されている。すなわち、頭78aの径がスライドプレート７５の孔７６の右側部分76aの径より小さく、左側部分76bの径より大きいピン78がスライドプレート75側から挿通され、その軸部78bが孔76に嵌っている。そして先端のねじ部７８cがブラケット76を貫通してナット79が締め付けられ、ピン78はブラケット７６に固定さられている。この状態でスライドプレート75はブラケットに対して摺動可能である。
【００１８】
一方スライドプレート７５にはガイドピン80が本体72の長孔74を通って固定されている。すなわち、ガイドピン80の頭部80aの径は長孔74の幅より大きく、その軸部80bが長孔74に嵌り、先端のねじ部80cにナット８１が締結されている。この状態でスライドプレート７５は本体７２に対して摺動可能になっている。スライドプレート75の右端にはフック７５aが形成され、これと、本体７２内でスライドプレート７５の右側に配置され、底部壁７３上に固定されたばね掛け８１との間に引っ張りばね８２が取付けてある。
【００１９】
ばね８２は常にスライドプレート７５を図7において右方向へ引っ張っており、ブラケット７７に固定されたピン７８の軸部７８bがスライドプレート７５の孔７６の左側端部に当たり、スライドプレート75は図示の位置に保持されている。この状態ではピン７８の頭部７８aが穴７６の左側部分７６bの上に位置しているので、スライドプレート７５が外れることはない。ところが、ガイドピン８０の頭部８０aを摘んでスライドプレート７５を図7において左へ移動させ、ピン７８の頭部７８aを孔７６の径の大きな右側部分７６aに位置させた状態で本体７２を図7（イ）で見て反時計回り方向へ回すと、スライドプレート７５がピン７８から外れ、さらに同方向に回すと、接続ビーム７１を第1側方ハンガービーム６５の開口６６内に収納することができる。
【００２０】
そしてこの状態において第1前側ハンガービーム６５を、図4においてヒンジ７０部分において時計方向へ回動すると、この第1側方ハンガービーム６５を接続ビーム７１を内部に収納した状態のままでメインビーム６２の側壁上にキャッチャー８５により固定して保持することができる。すなわち、メインビーム６２の側壁外面上の所定の位置に、上下に互いに対向して配置された一対のキャッチャー部材８６からなるキャッチャー８５が取付けられている。図8に図4でのB−B線断面図を示す。そのキャッチャー部材８６は弾性を有する金属板で形成され、その立上がり部８６aに互いに向かって突出した係止部８６bが形成されている。第1前側ハンガービーム６５を前述のようにしてこのキャッチャー８６に向けて押し付けると、弾性によってキッチャー部材８６が開いてその中に第1前側ハンガービーム６５が嵌り、キッチャー部材８６が元の状態に戻ってハンガービーム６５を図示の状態に保持して固定する。反対側に回すことにより、ハンガービーム６５をキャッチャー８５から外すことができる。
【００２１】
図4において符号８７は第2前側ハンガービームであり、図に明らかなとおり、その一端側において、メインビーム６２に対して第1前側ハンガービーム６５と反対側に、ただし第1前側ハンガービーム６５の延長線上に位置するように、公知の蝶番８８で回動可能に取付けられている。符号８９は第2前側ハンガービーム８７と同様の構成をしたほぼ同じ長さの補助ビームで、メインビーム６２にその先端部において蝶番90をもって回動可能に、第2前側ハンガービーム８７と同じ方向へ伸びて取付けられている。
【００２２】
符号９１は第1側方ハンガービームであり、その両端部において前述の第2前側ハンガービーム８７と補助ビーム８９との先端に取付けられているが、両端部での取付け構造は同じであるので、第2前側ハンガービーム８７と第1側方ハンガービーム９１との取付け構造を例にして説明する。
【００２３】
図9はこの取付け構造を示す図で、（イ）は図4において矢印C側から見た正面図で、（ロ）は（イ）のD−D線断面図である。符号92は細長い平板上のスライダであり、第1側方ハンガービーム９１の手前側の側面上に配置されている。すなわち、スライダ９２にはその長手方向に伸びて形成された長孔９２a、９２bが形成され、この長孔９２a、９２bに、第1側方ハンガービーム９１に取付けられた頭９３a,９４aがそれぞれ長孔９２a、９２bの幅より大きいガイドピン９３，９４の軸部９３b、９４bが嵌っており、スライダ92は図において左右に摺動可能になっている。なお、長孔92bは図において左側は開口しており、左端部に向かって末広がりの形状になっている。
【００２４】
符号９５は連結ピンで、ボルト９６によって第2前側ハンガービーム８７の端部上に固着され、第1側方ハンガービーム９１を貫いて伸びている。その軸部頭部９５aの径は長孔９２bの幅より大きくなっており、それより径の小さい嵌合部９５bにおいて長孔９２bに嵌り、嵌合部９５bより径の大きい軸部９５cと頭部９５aとでスライダ９２をはさんだ状態になっている。そして、第1側方ハンガービーム９１の前後の壁には連結ピン９５の頭部９５aの径より幅が広く、左端部が開口している切欠９１a,９１bが形成されている。したがって、図示の状態では第1側方ハンガービーム９１と第2前側ハンガービーム８７との結合は外せないが、スライダ９２をその右端部に設けられた摘み９２cを摘んで図中右へ、連結ピン９５の頭部９５aが長孔９２bから外れる位置まで移動させると、第1側方ハンガービーム９１と第2前側ハンガービーム８７との結合を外すことができる。第1側方ハンガービーム９１と補助ビーム８９との連結も同様である。なお、連結を外した第2前側ハンガービーム８７と補助ビーム８９とは図4においてそれぞれ蝶番８８，９０によって反時計方向及び時計方向に回動して、キャッチャー９６，９７によってメインビーム６２へ取付け、保持することができる。キャッチャー９６，９７の構成は先に説明したキャッチャ８５ーと同じである。
【００２５】
図4において符号100は第2側方ハンガービームであり、その一端側において蝶番101によって第1側方ハンガービーム９１に回動可能に取付けられている。そしてこの第2側方ハンガービーム100と補助ビーム８９との間には図示のように前述した接続ビーム７１と同じ接続ビーム７１が設けられ、両者を連結している。この接続ビーム７１は補助ビーム８９側との連結部において前述と同様にその連結を外すことができ、その状態で連結ビーム７１を第2側方ハンガービーム100に対して時計方向に回動して第2側方ハンガービーム100内に収納し、次に第2側方ハンガービーム100を蝶番101部分で第1側方ハンガービーム９１に対して反時計方向に回動してそれに重ねることができる。
【００２６】
図4において符号105と108はワイヤーロープである。ワイヤーロープ105は第1前側ハンガービーム６５とメインビーム６２との先端それぞれに取付けられたフック106、107にその両端が取付けられ、その両端或いは片側のみ取外し可能になっている。一方ワイヤーロ−プ108はメインビーム６２と第2側方ハンガービーム100のそれぞれ先端に取付けられたフック109と110にその両端が取付けられ、やはりその両端或いは片側のみ取外し可能になっている。ワイヤーロープ105と108には前述した天井防護幕７を取付けるための止め輪（図示せず）が所定の間隔で取付けられ、天井防護幕に取付けたフック（図示せず）を引っ掛けるようになっている。
【００２７】
図10は図4におけるE−E線断面図であり、第1前側ハンガービーム６５への前側防護幕５と天井防護幕7との取付け構造を示している図である。前側防護幕5と天井防護幕７の第1前側ハンガービーム６５へ取付けられる縁部には適宜な間隔で鳩目６，８がそれぞれ取付けられ、図示のように同じ位置でボルト115とナット116を用いて第1前側ハンガービーム65へ取付けられている。前側防護幕5は下方へ垂下がり、床面上には多少のたるみ代を持って接触している。一方、天井防護幕7は第1前側ハンガービーム６５の下面を回って大略水平面に沿って拡がっている。そして図示のように天井防護幕７の外側面上には、第1前側ハンガービーム６５との間にゴムなどの衝撃緩衝性の十分ある衝撃緩衝部材１３０が配置されている。なお、この取付け構造は、前側防護幕5と天井防護幕7の第2前側ハンガービーム８７への取付け、第1及び第2側方ハンガービーム９１、100への側方防護幕３、天井防護幕７の取付けにおいても採用されている。なお前述したとおり、天井防護幕７のワイヤロープ105,108に吊下げられる縁部にはフック（図示せず）が所定の間隔で取付けられ、ワイヤーロープ105、108に取付けられた止め輪（図示せず）に引掛けるようになっている。なお、上記した衝撃緩衝部材１３０は、図1に示されるようにいくつかの部片に分けられて、支柱２５、メインビーム６２、第1及び第2前側ビーム６５、８７、補助ビーム８９、第1及び第2側方ビーム９１，１００全てに対応してそれぞれ前側防護幕５、天井防護幕７の外側面上に配置されている。これによりボールがこれら金属性部材のある位置で防護幕に当たっても衝撃が吸収され、強く跳ね返ることがない。なお、衝撃緩衝部材１３０は上記フレーム21の各部材の幅に対してある程度余裕のある幅を備えており、これら部材を十分にカバーできるようになっている。
【００２８】
上記構成の練習具1は、側方防護幕３の幅が１m乃至1m50cm、前側防護幕５の幅は    1m60cm乃至1m80cm、床から天井防護幕７までの高さは２m乃至２m３０cmが望ましい。使用に際してプレーヤは側方防護幕3から適宜な距離だけ離れて前側防護幕５側を向くようにして立ち、側方防護幕3めがけてボールを打つこととなる。天井防護幕7の高さが２m１５cm乃至２m３０cmとなっており、普通の天井高さの住宅で使用可能であり、これだけの高さがあるので、少なくともショートアイアン程度ならばフルスィングが可能である。また、プレーする際に室内の他の設置物などが目に入ると、それにクラブ或いはボールが当たらないかと気になってプレーに集中できないが、前側防護幕５の幅が十分にあって、プレーヤの視野から室内の他の部分を遮っている安心してプレーできる。
【００２９】
図示の状態から練習具１を片付けるには、先ずベルト４１の把手４２をフック43から外し、上側支柱２７を下側支柱２６内に格納する。次いで各防護幕３，５，７を外し、前述したとおりの手順で各ビーム間の結合を外し、第1前側ハンガービーム６５内に接続ビーム７１を格納し、第1前側ハンガービーム６５、第2前側ハンガービーム８７及び補助ビーム８９をキャッチャー８６、９６，９７によってメインビーム６２に固定する。第1側方ハンガービーム９１及び第2側方ハンガービーム100と接続ビーム７１は他のビームから取外され、接続ビーム７１は第２側方ハンガービーム100に格納され、第2側方ハンガービーム100は蝶番１０１を利用して第1側方ハンガービーム９１に重ねられ、この状態でメインビーム６２の開口６２a内に収納され、メインビーム６２内に取付けられた弾性変形可能な掛け金部材等を（図示せず）を用いて外れないように固定するようになっている。これにより各ビーム類はメインビーム６２に沿って或いは内部に保持されて一体化され、その状態でメインビーム６２を支柱25に対して図6（ロ）に示すように回動して吊下げる。この状態で部屋の隅に片付けることができる。持ち運びの必要ある場合には、ビーム取付けケース４４の底部４４ｃに明けられた孔４４e（図６（ロ）参照）から工具を支柱２５の孔内に挿入して前述のボルト29をはずして支柱２５をベースブロック２４から外す（図5）。そして脚４５を図5で反時計方向へ回動してベース板２３の上に載せる。これで練習具１は大別してベース部、支柱組立体、ビーム組立体、防護幕とに分けられ搬送に便宜な形となる。
【図面の簡単な説明】
【００３０】
【図１】本考案の一実施の形態に係る室内ゴルフ練習具の基本概念図である。
【図２】フレームの正面図である。
【図３】フレームの側面図である。
【図４】フレームの平面図である。
【図５】支柱組立て体の下側部分の図で、（イ）は縦断面図、（ロ）は（イ）のＡ−Ａ断面図である。
【図６】メインビームの支柱への取付け構造を示す図で（イ）は平面図、（ロ）は正面図である。
【図７】接続ビームによる接続構造を示す図で、（イ）は横断面図、（ロ）は正面図である。
【図８】キャッチャによる各ビームのメインビームへの取付け構造を示す断面図である。
【図９】第1側方ハンガービームの第2前側ハンガービームへの取付け構造を示す図で、（イ）は正面図、（ロ）は（イ）でのＤ−Ｄ断面図である。
【図１０】前側防護幕と天井防護幕の取付け構造を示す図である。
【符号の説明】
【００３１】
１：室内ゴルフ練習具    ３：側方防護幕    ５：前側防護幕    ７：天井防護幕    ２１：フレーム    ２２：支柱組立体    ２３：ベース板    ２４：ベースブロック    ２５：支柱    ２６:下側支柱    ２７：上側支柱    ３７：案内ローラ    ４１：ベルト
４４：ビーム取付けケース    ４５：脚    ４６，４７：アーム    ６１：ビーム組立て体    ６２：メインビーム    ６５：第1前側ハンガービーム    ７１：接続ビーム    ８７：第2前側ハンガービーム    ８９：補助ビーム    ９１：第1側方ハンガービーム    １００：第2側方ハンガービーム    １０５，１０８：ワイヤーロープ    Ｂ：衝撃緩衝部材
【図１】
0003128287.tif 000003
【図２】
0003128287.tif 000004
【図３】
0003128287.tif 000005
【図４】
0003128287.tif 000006
【図５】
0003128287.tif 000007
【図６】
0003128287.tif 000008
【図７】
0003128287.tif 000009
【図８】
0003128287.tif 000010
【図９】
0003128287.tif 000011
【図１０】
0003128287.tif 000012
【手続補正書】
【提出日】平成18年10月27日(2006.10.27)
【手続補正１】
【補正対象書類名】実用新案登録請求の範囲
【補正対象項目名】請求項４
【補正方法】変更
【補正の内容】
【請求項４】
請求項３に記載の室内ゴルフ練習具において、前記前側ビームと前記側方ビームとの少なくとも一部は、前記メインビームに対して折り畳むことにより前記メインビームに沿った状態で格納保持可能であることを特徴とする、室内ゴルフ練習具。